(57)【特許請求の範囲】
【請求項１】
原画像を表す原画像信号に基づいて、互いに解像度が異なる複数の低解像度画像信号を作成し、
前記各低解像度画像信号に対して、所定のエッジ検出処理を施すことによって該各低解像度画像信号に対応する、互いに解像度が異なる複数の低解像度エッジ画像信号を作成し、
前記各低解像度画像信号を、該低解像度画像信号の画素数が前記原画像信号の画素数と同じになるようにそれぞれ補間拡大して、前記原画像信号の複数の異なる非鮮鋭マスク画像信号を作成するとともに、前記各低解像度エッジ画像信号を、該低解像度エッジ画像信号の画素数が前記原画像信号の画素数と同じになるようにそれぞれ補間拡大して、前記原画像信号の複数の異なるエッジ画像信号を作成し、
前記原画像信号および前記複数の非鮮鋭マスク画像信号に基づいて該原画像信号の複数の周波数帯域ごとの信号を表す複数の帯域制限画像信号を作成し、該各帯域制限画像信号を該帯域制限画像信号の絶対値を抑制するように変換して抑制画像信号を作成し、
前記エッジ画像信号を、該エッジ画像信号の絶対値が小さいときにはほぼ０となり、該絶対値が大きいときにはほぼ１となるように変換する非線形関数により変換してエッジ係数を作成し、
前記抑制画像信号に前記エッジ係数を乗ずることにより、各周波数帯域ごとの変換画像信号を作成し、該各変換画像信号を積算して得た積算信号を前記原画像信号に加算することにより該原画像信号の所定の周波数成分を強調することを特徴とする画像処理方法。
【請求項２】
前記帯域制限画像信号の作成、前記変換画像信号の作成、前記積算信号の作成、および該積算信号の前記原画像信号への加算を、下記の式
0003700798.tif 000007
（但し、Ｓproc：所定の周波数成分が強調された画像信号
Ｓorg ：原画像信号
Ｓusk(k=1〜N）：非鮮鋭マスク画像信号
Ｓedgek(k=1〜N)：エッジ画像信号
ｆk(k=1〜N）：各帯域制限画像信号を変換して抑制画像信号を作成するための関数
ｇ：各エッジ画像信号を変換してエッジ係数を作成するための関数
β（Ｓorg）：原画像信号に基づいて定められる強調係数）
にしたがって行うことを特徴とする請求項１記載の画像処理方法。
【請求項３】
前記エッジ係数の作成に使用する前記非線形関数を、前記エッジ画像信号のヒストグラム解析の結果に応じて異なるものとすることを特徴とする請求項１または２記載の画像処理方法。
【請求項４】
原画像を表す原画像信号に基づいて、互いに解像度が異なる複数の低解像度画像信号を作成する低解像度画像信号作成手段と、
前記各低解像度画像信号に対して、所定のエッジ検出処理を施すことによって該各低解像度画像信号に対応する、互いに解像度が異なる複数の低解像度エッジ画像信号を作成する低解像度エッジ画像信号作成手段と、
前記各低解像度画像信号を、該低解像度画像信号の画素数が前記原画像信号の画素数と同じになるようにそれぞれ補間拡大して、前記原画像信号の複数の異なる非鮮鋭マスク画像信号を作成する非鮮鋭マスク画像信号作成手段と、
前記各低解像度エッジ画像信号を、該低解像度エッジ画像信号の画素数が前記原画像信号の画素数と同じになるようにそれぞれ補間拡大して、前記原画像信号の複数の異なるエッジ画像信号を作成するエッジ画像信号作成手段と、
前記原画像信号および前記複数の非鮮鋭マスク画像信号に基づいて該原画像信号の複数の周波数帯域ごとの信号を表す複数の帯域制限画像信号を作成し、該各帯域制限画像信号を該帯域制限画像信号の絶対値を抑制するように変換して抑制画像信号を作成する抑制画像信号作成手段と、
前記エッジ画像信号を、該エッジ画像信号の絶対値が小さいときにはほぼ０となり、該絶対値が大きいときにはほぼ１となるように変換する非線形関数により変換してエッジ係数を作成するエッジ係数作成手段と、
前記抑制画像信号に前記エッジ係数を乗ずることにより、各周波数帯域ごとの変換画像信号を作成し、該各変換画像信号を積算して得た積算信号を前記原画像信号に加算することにより該原画像信号の所定の周波数成分を強調する周波数強調処理手段とからなることを特徴とする画像処理装置。
【請求項５】
前記帯域制限画像信号の作成、前記変換画像信号の作成、前記積算信号の作成、および該積算信号の前記原画像信号への加算を、下記の式
0003700798.tif 000008
（但し、Ｓproc：所定の周波数成分が強調された画像信号
Ｓorg ：原画像信号
Ｓusk(k=1〜N）：非鮮鋭マスク画像信号
Ｓedgek(k=1〜N)：エッジ画像信号
ｆk(k=1〜N）：各帯域制限画像信号を変換して抑制画像信号を作成するための関数
ｇ：各エッジ画像信号を変換してエッジ係数を作成するための関数
β（Ｓorg）：原画像信号に基づいて定められる強調係数）
にしたがって行うことを特徴とする請求項４記載の画像処理装置。
【請求項６】
前記エッジ係数の作成に使用する前記非線形関数を、前記エッジ画像信号のヒストグラム解析の結果に応じて異なるものとすることを特徴とする請求項４または５記載の画像処理装置。
【発明の詳細な説明】
【０００１】
【発明の属する技術分野】
本発明は、画像信号の所定の周波数成分を強調するための画像処理方法および装置に関し、特に詳しくは強調処理を行う際の、画像信号に含まれるノイズの除去に関する。
【０００２】
【従来の技術】
従来、本出願人により、非鮮鋭マスク画像信号（以下、ボケ画像信号という）を用いて周波数強調処理を行って放射線画像の診断性能を向上させる数々の画像処理方法および装置が提案されている（特開昭55-163472 号、同55-87953号など）。ここで、ボケ画像信号とは、画素数は原画像信号と同じであるが原画像信号よりも鮮鋭度が低い画像を表す画像信号であり、原画像信号の所定の周波数以上の高周波成分が除去された周波数応答特性を有する信号である。
【０００３】
上記周波数強調処理は、原画像信号Ｓorg からボケ画像信号Ｓusを引いたものに強調係数βを乗じたものを、原画像信号Ｓorgに加算することにより、原画像信号の所定の空間周波数成分を強調するものである。これを式で表すと下記の式（１）のようになる。
【０００４】
Ｓproc＝Ｓorg＋β×（Ｓorg−Ｓus）  …（１）
（Ｓproc：周波数強調処理された信号、Ｓorg ：原画像信号、Ｓus：ボケ画像信号、β：強調係数）
この際、上記処理では信号を加算することによりアーチファクトが発生してしまうことがあるが、これは、原画像信号Ｓorgに加算する加算信号の周波数応答特性を調整することにより解決でき、そのための具体的な調整方法として、次のような方法が提案されている。（特願平8-182155号など）。
【０００５】
この方法とは、まず鮮鋭度の異なる、すなわち周波数応答特性の異なる複数のボケ画像信号を作成し、そのボケ画像信号および原画像信号の中の２つの信号の差分をとることにより、原画像信号の、ある限られた周波数帯域の周波数成分を表す複数の帯域制限画像信号（以下、バンドパス信号という）を作成し、さらにそのバンドパス信号をそれぞれ所定の関数によって所望の大きさとなるように抑制してから、その複数の抑制されたバンドパス信号を積算することにより上記加算信号を作成するものである。この処理を式として表すと、例えば、下記の式（２）
0003700798.tif 000002
（但し、Ｓproc：高周波成分が強調された画像信号
Ｓorg ：原画像信号
Ｓusk(k=1〜N）：ボケ画像信号
ｆk(k=1〜N）：各バンドパス信号を変換する関数
β（Ｓorg）：原画像信号に基づいて定められる強調係数）
のようになる。
【０００６】
このような処理において、関数ｆ1〜ｆNは、バンドパス信号をそのバンドパス信号の大きさに応じて抑制するような関数であり、例えばアーチファクトを防止するためには、アーチファクトの原因となり得る大きなバンドパス信号については強く抑制し、あまり大きくない信号については抑制しないといった変換処理が行われる。
【０００７】
【発明が解決しようとする課題】
しかしながら、上記処理のようにバンドパス信号の変換をバンドパス信号の大きさにのみ基づいて行う場合、画像信号中に含まれるノイズ成分もまた本来処理されるべき信号と同じように処理されてしまう。これは、強調のために加算される加算信号の中にノイズ成分が含まれてしまうということ、すなわち強調処理によりノイズ成分が強調されてしまうということであるため望ましくない。
【０００８】
本発明は、上記問題に鑑みて、画像信号の所定の周波数成分を強調する際に、その画像信号中に含まれるノイズ信号を除去することができる画像処理方法および装置を提供することを目的とするものである。
【０００９】
【課題を解決するための手段】
本発明の画像処理方法は、原画像を表す原画像信号に基づいて、互いに解像度が異なる複数の低解像度画像信号を作成し、前記各低解像度画像信号に対して、所定のエッジ検出処理を施すことによって該各低解像度画像信号に対応する、互いに解像度が異なる複数の低解像度エッジ画像信号を作成し、前記各低解像度画像信号を、該低解像度画像信号の画素数が前記原画像信号の画素数と同じになるようにそれぞれ補間拡大して、前記原画像信号の複数の異なるボケ画像信号を作成するとともに、前記各低解像度エッジ画像信号を、該低解像度エッジ画像信号の画素数が前記原画像信号の画素数と同じになるようにそれぞれ補間拡大して、前記原画像信号の複数の異なるエッジ画像信号を作成し、前記原画像信号および前記複数のボケ画像信号に基づいて該原画像信号の複数の周波数帯域ごとの信号を表す複数のバンドパス信号を作成し、該各バンドパス信号を該バンドパス信号の絶対値を抑制するように変換して抑制画像信号を作成し、前記エッジ画像信号を、該エッジ画像信号の絶対値が小さいときにはほぼ０となり、該絶対値が大きいときにはほぼ１となるように変換する非線形関数により変換してエッジ係数を作成し、前記抑制画像信号に前記エッジ係数を乗ずることにより、各周波数帯域ごとの変換画像信号を作成し、該各変換画像信号を積算して得た積算信号を前記原画像信号に加算することにより該原画像信号の所定の周波数成分を強調することを特徴とするものである。
【００１０】
ここで「低解像度画像信号」とは、原画像信号の画素に対して所定間隔ごとに所定のフィルタリング処理を施すことによって画素を間引きして得た画像信号である。フィルタリング処理については、一般に広く使用されている種々の方法を用いることができる。
【００１１】
また、「所定のエッジ検出処理」としては、例えば所定の大きさのマスク内の、最大値と最小値の差、分散値あるいは濃度勾配などを用いてエッジを検出する方法などが適用できる。これは、広く一般的に行われているエッジ検出処理であれば、どのような処理であってもよく、特に限定しない。
【００１２】
また低解像度画像信号および低解像度エッジ画像信号に対して施す「補間拡大」処理とは、所定の補間方法によってそれぞれ原画像と同じ画素数になるように画素を補間して画像を拡大することを意味する。この補間方法についても、Ｂスプライン補間法をはじめ、一般に広く使用されている種々の方法を適用することができる。低解像度画像信号の補間拡大と低解像度エッジ画像信号の補間拡大は同じ方法によって行ってもよいし、それぞれ異なる方法により行ってもよい。
【００１３】
また、「原画像信号の複数の周波数帯域ごとの信号を表す複数のバンドパス信号」は、例えば隣接する周波数帯域のボケ画像信号同士で差分をとって作成してもよいし、原画像信号と各ボケ画像信号の差分をとって作成してもよい。あるいは原画像信号とボケ画像信号の他の組み合わせで差分をとってもよい。また、「所定の周波数成分を強調する」とは、例えば画像のエッジ部を強調するために、高周波成分を強調するといったことを意味する。
【００１４】
なお、前記バンドパス信号の作成、前記変換画像信号の作成、前記積算信号の作成、および該積算信号の前記原画像信号への加算は、具体的には下記の式
0003700798.tif 000003
（但し、Ｓproc：所定の周波数成分が強調された画像信号
Ｓorg ：原画像信号
Ｓusk(k=1〜N）：ボケ画像信号
Ｓedgek(k=1〜N)：エッジ画像信号
ｆk(k=1〜N）：各バンドパス信号を変換して抑制画像信号を作成するための関数
ｇ：各エッジ画像信号を変換してエッジ係数を作成するための関数
β（Ｓorg）：原画像信号に基づいて定められる強調係数）
にしたがって行うことが望ましい。また、前記エッジ係数の作成に使用する非線形関数は、エッジ画像信号のヒストグラム解析の結果に応じて異なるものとすることが望ましい。
【００１５】
また、本発明の画像処理装置は、上記画像処理方法にしたがって画像処理を行う装置であって、原画像を表す原画像信号に基づいて、互いに解像度が異なる複数の低解像度画像信号を作成する低解像度画像信号作成手段と、前記各低解像度画像信号に対して、所定のエッジ検出処理を施すことによって該各低解像度画像信号に対応する、互いに解像度が異なる複数の低解像度エッジ画像信号を作成する低解像度エッジ信号作成手段と、前記各低解像度画像信号を、該低解像度画像信号の画素数が前記原画像信号の画素数と同じになるようにそれぞれ補間拡大して、前記原画像信号の複数の異なるボケ画像信号を作成するボケ画像信号作成手段と、前記各低解像度エッジ画像信号を、該低解像度エッジ画像信号の画素数が前記原画像信号の画素数と同じになるようにそれぞれ補間拡大して、前記原画像信号の複数の異なるエッジ画像信号を作成するエッジ画像信号作成手段と、前記原画像信号および前記複数のボケ画像信号に基づいて該原画像信号の複数の周波数帯域ごとの信号を表す複数のバンドパス信号を作成し、該各バンドパス信号を該バンドパス信号の絶対値を抑制するように変換して抑制画像信号を作成する抑制画像信号作成手段と、前記エッジ画像信号を、該エッジ画像信号の絶対値が小さいときにはほぼ０となり、該絶対値が大きいときにはほぼ１となるように変換する非線形関数により変換してエッジ係数を作成するエッジ係数作成手段と、前記抑制画像信号に前記エッジ係数を乗ずることにより、各周波数帯域ごとの変換画像信号を作成し、該各変換画像信号を積算して得た積算信号を前記原画像信号に加算することにより該原画像信号の所定の周波数成分を強調する周波数強調処理手段とからなることを特徴とするものである。
【００１６】
なお、上述のように低解像度画像信号および低解像度エッジ画像信号の補間拡大処理は同じ補間拡大方法で行ってもよいため、ボケ画像信号作成手段とエッジ画像信号作成手段は、実質的に同じものであってもよいものとする。
【００１７】
【発明の効果】
本発明の画像処理方法および装置によれば、原画像信号の周波数帯域ごとの信号を表すバンドパス信号を積算して原画像信号に強調のために加算する加算信号を作成する際に、画像信号のエッジ情報を取り出し、このエッジ情報に基づき、エッジ部の信号についてはほぼ１、非エッジ部の信号についてはほぼ０であるようなエッジ係数を定義し、このエッジ係数を信号に乗ずるため、所望の強調処理を行いながら、非エッジ部に含まれる粒状のノイズ信号を除去することができ、高画質な処理済画像信号を得ることができる。
【００１８】
【発明の実施の形態】
以下、本発明の画像処理方法および装置の一実施の形態について、図面を参照して詳細に説明する。以下に示す画像処理装置は、蓄積性蛍光体シートに記録された人体の放射線画像を読み取って得た画像信号に対して、その画像が診断に適した画像となるように、ボケ画像信号を使用して周波数強調処理を施すものであり、処理された画像信号は主としてフィルムに記録され、診断に用いられる。
【００１９】
図１はこの画像処理装置の概略を表す図である。画像処理装置は、原画像信号Ｓorgにフィルタリング処理を施して低解像度画像信号Ｂk（ｋ＝１〜ｎ）を作成するフィルタリング手段１と、フィルタリング処理により得られた低解像度画像信号Ｂkのエッジを検出して低解像度エッジ画像信号Ｅk（ｋ＝１〜ｎ）を作成するエッジ検出手段２と、低解像度画像信号Ｂkと低解像度エッジ画像信号Ｅkに対して所定の補間拡大処理を施して、低解像度画像信号Ｂkからはボケ画像信号Ｓuskを、また低解像度エッジ画像信号Ｅkからはエッジ画像信号Ｓedgeをそれぞれ作成する補間拡大手段３と、原画像信号とボケ画像信号Ｓuskから周波数帯域ごとのバンドパス信号を作成してそのバンドパス信号を所定の関数により変換して抑制画像信号を作成する第１の変換手段４と、エッジ画像信号Ｓedgeからエッジ係数を作成する第２の変換手段５と、エッジ係数と抑制画像信号とにより所定の信号を作成してその信号を原画像信号に加算することにより特定の周波数成分を強調する周波数強調処理手段６とを有する。
【００２０】
なお、ここで、フィルタリング手段１は前記低解像度画像信号作成手段に、エッジ検出手段２は前記低解像度エッジ画像信号作成手段にそれぞれ相当し、補間拡大手段３は前記ボケ画像信号作成手段とエッジ画像信号作成手段の機能を兼ね備えたものに相当する。また、第１の変換手段４は前記抑制画像信号作成手段に、第２の変換手段５は前記エッジ係数作成手段に相当するものである。
【００２１】
上記原画像信号Ｓorg、低解像度画像信号Ｂk、低解像度エッジ画像信号Ｅk、ボケ画像信号Ｓusk、エッジ画像信号Ｓedgeの５種類の信号は、互いに図２に示すような関係となっている。すなわち低解像度画像信号Ｂkは原画像信号Ｓorgの画素数を少なくすることにより解像度を低くした信号であり、ボケ画像信号Ｓuskはその低解像度画像信号Ｂkを補間拡大して得た、原画像信号と同じ画素数の画像信号である。また低解像度エッジ画像信号Ｅkは低解像度画像信号Ｂkからエッジ部分のみを抽出した信号であり、エッジ画像信号Ｓedgeは低解像度エッジ画像信号Ｅkを原画像信号と同じ画素数となるように補間拡大した信号である。
【００２２】
次に、上記各信号の作成処理について詳細に説明する。図３はボケ画像信号作成処理の概要を示すブロック図である。図３に示されるように、ボケ画像信号の作成は、まずフィルタリング手段１により、原画像信号Ｓorgに対し、原画像の画素のｘ方向およびｙ方向に対してフィルタリング処理を施して原画像信号よりも解像度が低い低解像度画像信号Ｂ1を作成し、次にこの低解像度画像信号Ｂ1に対して同様のフィルタリング処理を施してこの低解像度画像信号Ｂ1よりもさらに解像度が低い低解像度画像信号Ｂ2を作成し、以降順次同様のフィルタリング処理を重ねていくものである。そして、補間拡大手段３により、このフィルタリング処理の各段において得られる低解像度画像信号Ｂkに対して、それぞれ補間拡大処理を施して、鮮鋭度の異なる複数のボケ画像信号Ｓus1〜ＳusNを得るものである。
【００２３】
本実施の形態においては、上記フィルタリング処理のフィルタとして、一次元ガウス分布に略対応したフィルタを使用する。すなわちフィルタのフィルタ係数を、ガウス信号に関する下記の式（３）
【００２４】
【数１】
0003700798.tif 000004
【００２５】
にしたがって定める。これは、ガウス信号は周波数空間および実空間の双方において、局在性がよいためであり、例えば上記（３）式においてσ＝１とした場合の５×１の１次元フィルタは図４に示すようなものとなる。
【００２６】
フィルタリング処理は、図５に示すように、原画像信号Ｓorgに対して、あるいは低解像度画像信号に対して１画素おきに行う。このような１画素おきのフィルタリング処理をｘ方向、ｙ方向に行うことにより、低解像度画像信号Ｂ1の画素数は原画像の１／４となり、フィルタリング処理により得られる低解像度画像信号に対して繰り返しこのフィルタリング処理を施すことにより、得られるｎ個の低解像度画像信号Ｂk は、それぞれ、画素数が原画像信号の１／２2kの画像信号となる。
【００２７】
次に、このようにして得られた低解像度画像信号Ｂkに対して施される補間拡大処理について説明する。補間演算の方法としては、Ｂスプラインによる方法など種々の方法が挙げられるが、本実施の形態においては、上記フィルタリング処理においてガウス信号に基づくローパスフィルタを用いているため、補間演算についてもガウス信号を用いるものとする。具体的には、下記の式（４）
【００２８】
【数２】
0003700798.tif 000005
【００２９】
において、σ＝２k-1 と近似したものを用いる。
【００３０】
画像信号Ｂ1を補間する際には、ｋ＝１であるためσ＝１となる。この場合、補間処理を行うためのフィルタは、図６に示すように５×１の一次元フィルタとなる。この補間処理は、まず低解像度画像信号Ｂ1に対して１画素おきに値が０の画素を１つずつ補間することにより低解像度画像信号Ｂ1を原画像と同一のサイズに拡大し、次に、この補間された低解像度画像信号Ｂ1に対して上述した図６に示す一次元フィルタによりフィルタリング処理を施すことにより行われる。
【００３１】
同様に、この補間拡大処理を全ての低解像度画像信号Ｂkに対して行う。低解像度画像信号Ｂkを補間する際には、上記式（４）に基づいて、３×２k−１の長さのフィルタを作成し、画像信号Ｂkの各画素の間に値が０の画素を２k−１個ずつ補間することにより、原画像と同一サイズに拡大し、この値が０の画素が補間された画像信号Ｂkに対して３×２k−１の長さのフィルタにより、フィルタリング処理を施すことにより補間拡大する。
【００３２】
また、フィルタリング処理により得られた各低解像度画像信号Ｂkに対しては、エッジ検出手段２によるエッジ検出処理も施される。本実施の形態では、所定のサイズのマスク内に入る各画素の値のうち最大値と最小値との差が所定の閾値よりも大きければエッジであると判断することにより画像信号のエッジを検出しており、これにより検出されたエッジ情報を上記低解像度エッジ画像信号Ｅkとしている。但し、エッジ検出の方法はこれに限らず、例えば最大値と最小値との差の代わりに、分散値あるいは濃度勾配などを用いて検出を行ってもよい。
【００３３】
上記のようにして得られた低解像度エッジ画像信号Ｅkもまた、上記低解像度画像信号Ｂkと同様に補間拡大される。この補間拡大の方法は、低解像度画像信号の補間拡大方法と同じであっても異なるものであってもよいが、本実施の形態においては同じ方法を用いているため、ここでは説明を省略する。
【００３４】
以上のようにして得られた各画像信号は、下記の式（５）
0003700798.tif 000006
（但し、Ｓproc：所定の周波数成分が強調された画像信号
Ｓorg ：原画像信号
Ｓusk(k=1〜N）：非鮮鋭マスク画像信号
Ｓedgek(k=1〜N)：エッジ画像信号
ｆk(k=1〜N）：各バンドパス信号を変換して抑制画像信号を作成するための関数
ｇ：各エッジ画像信号を変換してエッジ係数を作成するための関数
β（Ｓorg）：原画像信号に基づいて定められる強調係数）
にしたがって処理される。
【００３５】
ここで、関数ｆ1〜ｆNは、例えば図７に示すような関数を使用する。ｆ1〜ｆNは全て同じ関数であってもよいし、各バンドパス信号ごとに異なる関数であってもよい。
【００３６】
また関数ｇとしては、例えば図８に示すような関数を使用する。これは、エッジ信号が大きいときには１、小さいときは０となるようにエッジ係数を定めるものである。これは、エッジ信号が大きい部分は真のエッジであるが、エッジ信号が小さい部分は真のエッジではなく、平坦部に含まれる粒状のノイズ成分がエッジとして検出されてしまったものであるという理由から、そのような粒状ノイズが含まれている部分については、信号を抑制してノイズを低減あるいは除去しようとするものであり、そのために、その部分に対応するエッジ係数を０あるいは０に近い値として、そのような小さな値のエッジ係数を変換されたバンドパス信号に乗算することによって、その部分の信号が強調のための信号として加算されないようにしている。
【００３７】
なお、別途エッジ画像信号のヒストグラム解析を行って、その画像のノイズの量に応じて上記関数ｇを異なるものとしてもよい。すなわち、図９に示されるように、ヒストグラムが広がっている場合（ｂ）は、ヒストグラムが０付近に局在している場合（ａ）よりもノイズが多いということであるため、ノイズの多い画像（ｂ）に対しては、図のように、エッジ画像信号が比較的大きくてもエッジ係数を０とするようにすれば、より適切にノイズを除去することができる。
【００３８】
本発明は、以上のように従来はエッジ画像信号とともに強調してしまっていたノイズ信号を、エッジ画像信号から分離することによって強調されないようにするものであり、これにより、目的の画像信号のみに対して所望の強調処理を施して高画質な処理済画像を得ることができる。
【図面の簡単な説明】
【図１】本発明の画像処理装置の概略を示す図
【図２】本発明の画像処理の過程において得られる各種信号の関係を示す図
【図３】ボケ画像信号作成処理の概要を示すブロック図
【図４】フィルタリング処理に使用されるフィルタの一例を示す図
【図５】低解像度画像信号作成処理の詳細を示す図
【図６】補間拡大処理に使用されるフィルタの一例を示す図
【図７】バンドパス信号を抑制するための関数の一例を示す図
【図８】エッジ係数を定めるための非線形関数の一例を示す図
【図９】エッジ画像信号のヒストグラム解析結果とエッジ係数を定めるための非線形関数の関係を示す図
【符号の説明】
１  フィルタリング手段
２  エッジ検出手段
３  補間拡大手段
４  変換手段
５  変換手段
６  周波数強調処理手段
【図１】
0003700798.tif 000009
【図２】
0003700798.tif 000010
【図３】
0003700798.tif 000011
【図４】
0003700798.tif 000012
【図５】
0003700798.tif 000013
【図６】
0003700798.tif 000014
【図７】
0003700798.tif 000015
【図８】
0003700798.tif 000016
【図９】
0003700798.tif 000017